(57)【要約】【課題】取扱い中に、従蓋２ｂの螺じ込みの緩みが生じたとき、または螺じ込みを戻す方向に従蓋２ｂが回動したときに、資料装入筒２２の下端の開放口２２０を封栓する栓蓋３が脱落して、飲用を望まないときに、資料の投入が行われるようになる不都合を解決する。【解決手段】筒状の開口部５０の外周に雄ネジ５１を具備せしめて樹脂材により成形する瓶体５と、内周に前記筒状の開口部５０の外周の雄ネジ５１に螺合する雌ネジ６０を具備し、天板部６１の下面の軸芯部位には、外径を前記筒状の開口部５０の内径より小径とした資料装入筒６２が垂下する形状に樹脂材により成形する蓋体６と、その蓋体６の資料装入筒６２の下端の開放口６２０に装脱自在に嵌合して該資料装入筒６２を封栓し、かつ、外周面に弾性により逆向きの傘状に開いた姿勢に保持される複数の切起片７０を具備する栓蓋７と、蓋体６の螺じ込み深さを規制する規制部材８とからなる。【選択図】図６
2006213337.tif 000002
【特許請求の範囲】
【請求項１】
頂部に形成する筒状の開口部５０の外周に雄ネジ５１を具備せしめて樹脂材により成形する瓶体５と、内周に前記筒状の開口部５０の外周の雄ネジ５１に螺合する雌ネジ６０を具備し、天板部６１の下面の軸芯部位には、外径を前記筒状の開口部５０の内径より小径とした資料装入筒６２が垂下する形状に樹脂材により成形する蓋体６と、その蓋体６の資料装入筒６２の下端の開放口６２０に装脱自在に嵌合して該資料装入筒６２を封栓し、かつ、外周面に弾性により逆向きの傘状に開いた姿勢に保持される複数の切起片７０を具備する栓蓋７と、瓶体５の筒状の開口部５０の外周の雄ネジ５１の下端側に装脱自在に装着してその雄ネジ５１に対する蓋体６の螺じ込み深さを規制する規制部材８とからなり、瓶体５の開口部５０に螺合する蓋体６の螺じ込み深さと栓蓋７の外周の切起片７０が占める位置の関係を、瓶体５の開口部５０に螺合した蓋体６の螺じ込みが規制部材８により規制されたときには、資料装入筒６２の下端の開放口６２０に装着した栓蓋７の外周の切起片７０が折り畳まれて瓶体５の開口部５０の内壁面に当接し、規制部材８を取り外して蓋体６を螺じ込んだときには、瓶体５の開口部５０の内壁面から下方に脱出した位置を占めるように設定しておくことを特徴とする即席飲料用の瓶。
【請求項２】
瓶体５には、それの頸部の内面側に、規制部材８を外して蓋体６を螺じ込むことで開口部５０の内壁面から下方に脱出して傘状に開いた切起片７０の先端側と衝合する係合段部５３を形設しておくことを特徴とする即席飲料用の瓶。
【請求項３】
栓蓋７を弾性を有する合成樹脂材により、上端側には、瓶体５の筒状の開口部５０の内壁面と蓋体６に設けた資料装入筒６２の外壁面との間に嵌合する筒状の栓部７１を具備し、胴部の周面には、逆向きの傘状に開いて先端側が瓶体５の頸部内面に衝合する複数の切起片７０を具備し、底部には蓋体６の資料装入筒６２の下端の開放口６２０部に嵌合してその開放口６２０を封栓する封栓部７３を具備する形状に成形したことを特徴とする請求項１記載の即席飲料用の瓶。
【発明の詳細な説明】
【技術分野】
【０００１】
本発明は、瓶の口に螺合して封栓する蓋に、瓶の内部に充填しておく湯または冷水に対し添加する抹茶・コーヒー等の飲料原料を封入しておくアンプル状の容器を設けておいて、飲用するときに、蓋を外して、アンプル状の容器を開封し、飲料原料を瓶内に投入し、瓶内の湯または冷水と混和して即席に飲用するように用いる即席飲料用の瓶に関するものである。
【背景技術】
【０００２】
この種の即席飲料用の瓶には、図１、図２に示している構成のものがある。
この瓶は、瓶体１の頂部に形成した筒状の開口部１０の外周に設けた雄ネジ１１に、雌ネジ状に螺合して瓶体１の開口部１０を封栓する蓋体２を図３にあるように、瓶体１の開口部１０に螺合する主蓋２ａと、それに螺合する従蓋２ｂとの二重栓状に形成し、それの主蓋２ａには、軸芯部位に、上下に貫通する筒体２０を形成して、該主蓋２ａを瓶体１の筒状の開口部１０に螺合したときに、この筒体２０の内部空間と、それの上部開放口２００と下部開放口２０１を介して、瓶体１の内部空間が外部に連通するようにしておいて、その筒体２０の主蓋２ａの上方に突出する部位を、外周にねじ溝を具備するねじ筒部２１に形成しておき、このねじ筒部２１に、従蓋２ｂを螺合することで、瓶体１の開口部１０が封栓されるようにする。
【０００３】
この従蓋２ｂには、それの下面側の軸芯部位に、前記主蓋２ａの筒体２０の内側に内筒状に嵌挿される筒体を垂設して、この内筒を、抹茶・コーヒー等の飲料の原材料を装入する資料装入筒２２に形成する。
【０００４】
そして、この内筒状の資料装入筒２２への原材料の装填は、図４にあるように、主蓋２ａに対し従蓋２ｂを螺合した状態において行い、装入すべき資料の装填後に、資料装入筒２２の下端の開放口２２０に、軟質の合成樹脂材により平盤状に成形しておいた栓蓋３を下端側から嵌合し、その栓蓋３の外周縁の鍔部３０が、主蓋２ａの軸芯部位に設けた筒体２０の下端の開放口２０１の口縁の下方に臨む状態としておく。
【０００５】
この状態の蓋体２を、瓶体１の筒状の開口部１０に螺合することで、図２にあるように瓶体１の封栓を行なう。
【０００６】
このとき、瓶体１内に、資料装入筒２２に装入しておいた飲料の原材料を混和して飲料に調整するための、湯または冷水を予め充填しておき、所望のときに、原材料を混合して即席に飲料が飲用できるようにしているものである。
【０００７】
しかして、この瓶は、蓋体２の従蓋２ｂの資料装入筒２２内に装填しておく原材料の瓶体１内の湯または冷水に対する投入が、従蓋２ｂの主蓋２ａに対する螺じ込みを戻していくことで、従蓋２ｂと一緒に引き上げられる資料装入筒２２の下端に嵌合する栓蓋３の周縁の鍔部３０が、瓶体１に螺合している主蓋２ａの筒体２０の下端の開放口２０１の口縁に衝合して、しごき落とされることで瓶体１内に落下して開封することによって、蓋体２が瓶体１に螺合装着してある状態で行えるようにしているものである。
【０００８】
この形態の即席飲料用の瓶には、取扱い中に、従蓋２ｂが主蓋２ａに対し螺じ込みを緩める方向に回動したときに、栓蓋３が脱落し、封入していた原材料の投入が行われ、飲用を望まないときに飲料の調整が行われていまう問題があり、また、主蓋２ａの筒体２０の内壁面と従蓋２ｂの資料装入筒２２の外壁面との間に形成される空隙に、瓶体１内の湯または冷水が浸透してくることで、従蓋２ｂにより行われる瓶体１の密封性が不確実な問題がある。
【０００９】
さらに、蓋体２を二重栓状に構成することで、組立部品の点数が多く、製作コストが嵩む問題がある。
【発明の開示】
【発明が解決しようとする課題】
【００１０】
本発明において解決しようとする課題は、第１には、取扱い中に、従蓋２ｂの螺じ込みの緩みが生じたとき、または螺じ込みを戻す方向に従蓋２ｂが回動したときに、資料装入筒２２の下端の開放口２２０を封栓する栓蓋３が脱落して、飲用を望まないときに、資料の投入が行われるようになる不都合が生ずることを解決することにある。
【００１１】
第２には、瓶体１内の湯または冷水の封栓が、主蓋２ａの上面側に螺合する従蓋２ｂにより行われることで、瓶体１内の湯または冷水の密封性が不確実になるのを解決することにある。
【００１２】
第３には、蓋体２を主蓋２ａと従蓋２ｂとの二重栓状に構成することで、部品点数が多くなりコストが嵩むのを解決することにある。
【課題を解決するための手段】
【００１３】
上述の課題を解決するための手段として、請求項１に記載した
頂部に形成する筒状の開口部５０の外周に雄ネジ５１を具備せしめて樹脂材により成形する瓶体５と、内周に前記筒状の開口部５０の外周の雄ネジ５１に螺合する雌ネジ６０を具備し、天板部６１の下面の軸芯部位には、外径を前記筒状の開口部５０の内径より小径とした資料装入筒６２が垂下する形状に樹脂材により成形する蓋体６と、その蓋体６の資料装入筒６２の下端の開放口６２０に装脱自在に嵌合して該資料装入筒６２を封栓し、かつ、外周面に弾性により逆向きの傘状に開いた姿勢に保持される複数の切起片７０を具備する栓蓋７と、瓶体５の筒状の開口部５０の外周の雄ネジ５１の下端側に装脱自在に装着してその雄ネジ５１に対する蓋体６の螺じ込み深さを規制する規制部材８とからなり、瓶体５の開口部５０に螺合する蓋体６の螺じ込み深さと栓蓋７の外周の切起片７０が占める位置の関係を、瓶体５の開口部５０に螺合した蓋体６の螺じ込みが規制部材８により規制されたときには、資料装入筒６２の下端の開放口６２０に装着した栓蓋７の外周の切起片７０が折り畳まれて瓶体５の開口部５０の内壁面に当接し、規制部材８を取り外して蓋体６を螺じ込んだときには、瓶体５の開口部５０の内壁面から下方に脱出した位置を占めるように設定しておくことを特徴とする即席飲料用の瓶。
を提起するものである。
また、これに併せて請求項２に記載した
瓶体５には、それの頸部の内面側に、規制部材８を外して蓋体６を螺じ込むことで開口部５０の内壁面から下方に脱出して傘状に開いた切起片７０の先端側と衝合する係合段部５３を形設しておくことを特徴とする即席飲料用の瓶。
を提起し、さらに、請求項３に記載した
栓蓋７を弾性を有する合成樹脂材により、上端側には、瓶体５の筒状の開口部５０の内壁面と蓋体６に設けた資料装入筒６２の外壁面との間に嵌合する筒状の栓部７１を具備し、胴部の周面には、逆向きの傘状に開いて先端側が瓶体５の頸部内面に衝合する複数の切起片７０を具備し、底部には蓋体６の資料装入筒６２の下端の開放口６２０部に嵌合してその開放口６２０を封栓する封栓部７３を具備する形状に成形したことを特徴とする請求項１記載の即席飲料用の瓶。
を提起するものである。
【発明の効果】
【００１４】
本発明による手段は、瓶体の筒状の開口部に巻き付いてある規制部材を取り外して蓋体を螺じ込まない限り、栓蓋に設けた切起片は、瓶体の筒状の開口部の内腔に位置していることから、蓋体の螺じ込みに緩みがあっても、また、取扱い中に螺じ込みが戻る方向に蓋体が回動しても、栓蓋に設けた切起片が、しごかれて、栓蓋が脱落する事態を生ぜしめることがないので、飲用を望まないときに、誤って原料の投入がなされて湯・冷水に混入し飲料に調整されることがなくなる。
【００１５】
また、瓶体５の頸部の内壁面に、筒状の開口部５０から下方に脱出して逆向きの傘状に開いた栓蓋７周面の切起片７０の先端側と対向する係合段部５３を形成しておくことで、栓蓋７の取り外しが、部品点数を増やすことなく、確実に行えるようになる。
【００１６】
また、栓蓋７に、瓶体５の筒状の開口部５０の内壁面と蓋体６の資料装入筒６２の外壁面との間に形成される環状の間隙内に嵌合する栓部７１を形設しておくことで、蓋体６による瓶体５内の湯または冷水の密封性を確実にし得るようになる。
【発明を実施するための最良の形態】
【００１７】
次に実施の態様を実施例につき図面に従い詳述する。
【実施例１】
【００１８】
図５乃至図１１は、本発明手段を実施せる即席飲料用の瓶の第１の実施例を示している。
【００１９】
５は、合成樹脂材により成形した瓶体で、頂部には、一体に連続して成形された外周面に雄ネジ５１を設けた筒状の開口部５０が設けてある。
【００２０】
筒状の開口部５０は、それの外周面に形設する雄ネジ５１が、その筒状の開口部５０の下端側を除いた部位に設けられ、雄ネジ５１の下端側には、環状の凹溝５２が形成してあり、この凹溝５２に後述する規制部材８が装着されるようにしてある。
【００２１】
６は、この瓶体５の筒状の開口部５０に螺合する蓋体で、図７にあるように、内周面に設けた雌ネジ６０により、前記筒状の開口部５０の外周の雄ネジ５１にキャップ状に螺合する形状に形成してあり、それの天板部６１の軸芯部位には、資料装入筒６２が下方に向け長く垂設してある。
【００２２】
この資料装入筒６２は、瓶体５の吐出筒部である筒状の開口部５０に蓋体６を螺合した状態において、それの筒状の開口部５０内にゆるく嵌合する外径に形成され、かつ、それの垂下長さＬが、略開口部５０の上下長さｌに略対応するよう形成され、開口部５０の外周の下端側に装着しておく規制部材８により蓋体６の螺じ込み深さが規制された図９に示す状態時にあっては、この資料装入筒６２の下端が瓶体５の筒状の開口部５０の下端と対応する位置を占め、図１０にあるように、規制部材８が取り外された状態で蓋体６が螺じ込みのエンドまで螺じ込まれたときには、この資料装入筒６２の下端が、瓶体５の筒状の開口部５０の下縁から瓶体５の内腔に突出した位置を占め、このとき、筒状の開口部５０の下端に封栓した栓蓋７を、図１０にあるように、それの切起片７０を筒状の開口部５０の下縁から下方に突出させて、それが具備する弾性により逆向きの傘状に開いた状態とする長さに設定してある。
【００２３】
上述の栓蓋７は、軟質の合成樹脂材により、図８にあるよう、蓋体６の資料装入筒６２の下端に嵌合して資料装入筒６２を密封する栓状に形成するが、周縁部には、図６および図７にあるよう逆向きの傘状に開いた形状の切起片７０を複数本設けた形状に形成してある。そして、この切起片７０は、図８にあるよう蓋体６の資料装入筒６２に装着して、その蓋体６を瓶体５の開口部５０に嵌挿して螺じ込んでいくときに、瓶体５の開口部５０の内壁面との圧接により受ける外力により、開口部５０の内壁面に沿う姿勢に撓曲・変形し、開口部５０から下方に脱出して外力が開放されることで図１０にあるよう傘状に開いた姿勢に復元するよう弾性を具備する形状に形成してあり、これにより、前述の図１０に示す状態から蓋体６をねじ戻して引き上げることで、図１１にあるよう栓蓋７が瓶体５の頸部の内面に接触してしごき落とされて開封するようにしている。
【００２４】
規制部材８は、瓶体５の吐出筒部である筒状の開口部５０に、キャップ状に螺合する蓋体６の螺じ込み作動のエンドを、所定の螺じ込み深さ位置に規制する部材であり、この例においては、合成樹脂材により紐状乃至帯状に成形してあって、筒状の開口部５０の外周で、そこに形成してある雄ネジ５１のねじ溝の下端部位に環状に形成した凹溝５２に嵌め込むように巻き付け、両端を熔着により閉じ合わせることで、環状に連結して装着してあり、かつ、閉じ合わせて環状に連結した該規制部材８には、引き出し片８０を設けて、それを摘んで引き出すことで、紐状に引き裂かれて簡単に取り除けるようにしてある。
【００２５】
これにより、装着してある状態時には、図９にあるように、蓋体６の螺じ込み深さを、所定の深さまでに規制し、この規制部材８を取り除くことで図１０にあるよう、蓋体６の螺じ込みが、雄ネジ５１のねじ溝のエンドまで一杯に行われるようになり、蓋体６に設けた資料装入筒６２の下端の開放口６２０に装着する栓蓋７の切起片７０が、規制部材８の存在により蓋体６が回動しても常に開口部５０内にある位置を占め、規制部材８の取り除きで、蓋体６の螺じ込みにより開口部５０内から下方に脱出していくように制御される。
【実施例２】
【００２６】
次に図１２乃至図１７は、別の実施例を示している。
この例は、蓋体６に装設する資料装入筒６２の下端の開放口６２０を封栓する栓蓋７に、蓋体６を瓶体５の筒状の開口部５０に螺合したときにその開口部５０の内壁面と資料装入筒６２の外壁面との間に形成される環状の間隙を封栓する栓部７１を具備せしめておいて、資料装入筒６２を封栓する栓蓋７により、瓶体５内腔を、蓋体６と開口部５０との螺合部の手前において封栓して、瓶体５内の湯または冷水の密封性を良くするようにしている例であり、栓蓋７を除くその余の構成については、前述の実施例のものと変わりがない。
【００２７】
即ち、栓蓋７は、テフロン（登録商標）等の弾性を具備する合成樹脂材を用いて、図１２、図１３にあるように、底部には資料装入筒６２の下端の開放口６２０の内部空間および外周側に嵌合する皿状の栓部７１を具備し、その栓部７１の外周側の、資料装入筒６２の外周に嵌合する周壁部に、逆向きの傘状に開く複数の切起片７０を具備する形状に成形するが、その成形の際、周壁部は図１２にあるように、資料装入筒６２の外周に深く嵌合する筒状に成形して、それの筒壁の上下の中間部位に周方向に所定の間隔をおいて、窓穴状の切込み７２を形成し、その切込み７２の内側に区画される部位を外側に張り出させることで切起片７０を形成し、窓穴状の切込み７２より上方の部位を、各切込み７２間の間隔部位により底部の栓部７１に連結する筒状に残し、この筒状の上端部位をもって、図１５にあるように、瓶体５の吐出筒部（筒状の開口部５０）に蓋体６を螺合したときに、その吐出筒部の内壁面と資料装入筒６２の外壁面との間に形成される環状の空隙部に嵌合して、この空隙部を封栓する封栓部７３を構成するようにしている。
【００２８】
この栓蓋７の使用により、瓶体５の吐出筒部の外周の雄ネジ５１と蓋体６の内周との雌ネジ６０との螺合部が、瓶体５の内腔に対し、前述の空隙部において封栓されて遮断されることになるので、蓋体６による封栓が確実なものとなる。
【００２９】
この栓蓋７を使用する実施例においては、瓶体５の吐出筒部の下端側の外周に規制部材８を装填した状態において、蓋体６を螺合して封栓したときは図１５にあるようになり、規制部材８を外して蓋体６を螺じ込みのエンドまで螺じ込むことで図１６の状態となり、この状態から蓋体６をねじ戻すことで、図１７にあるよう栓蓋７が脱落するようになる。
【図面の簡単な説明】
【００３０】
【図１】従来手段の即席飲料用の瓶の全体の正面図である。
【図２】同上の縦断正面図である。
【図３】同上の要部の分解した縦断正面図である。
【図４】同上の蓋体の、資料を封入した状態の縦断正面図である。
【図５】本発明を実施せる即席飲料用の瓶の正面図である。
【図６】同上の要部の分解した状態の斜視図である。
【図７】同上の要部の分解した状態の縦断正面図である。
【図８】同上の蓋体の栓蓋を嵌装した状態の縦断正面図である。
【図９】同上状態の蓋体を、瓶体の開口部の周面から規制部材を取り外して螺じ込んだ状態時の縦断正面図である。
【図１０】同上状態の蓋体を、瓶体の開口部の周面から規制部材を取り外して螺じ込みのエンドまで螺じ込んだ状態時の縦断正面図である。
【図１１】同上状態の蓋体を、上述の図１０の状態からねじ戻した状態時の縦断正面図である。
【図１２】別の実施例の栓蓋の斜視図である。
【図１３】同上の栓蓋の縦断正面図である。
【図１４】同上の栓蓋を蓋体に装着した状態の縦断正面図である。
【図１５】同上の栓蓋を装着した蓋体を、瓶体の開口部に螺合した状態の縦断面図である。
【図１６】同上の栓蓋を装着した蓋体を、瓶体の開口部の周面から規制部材を外して螺じ込んだ状態の縦断面図である。
【図１７】同上状態の蓋体を、逆方向に回転して戻した状態時の縦断正面図である。
【符号の説明】
【００３１】
Ｌ…垂下長さ、ｌ…上下長さ、１…瓶体、１０…開口部、１１…雄ネジ、２…蓋体、２ａ…主蓋、２ｂ…従蓋、２０…筒体、２１…ねじ筒部、２２…装入筒、２００…上部開放口、２０１…下部開放口、２２０…開放口、３…栓蓋、３０…鍔部、５…瓶体、５０…開口部、５１…雄ネジ、５２…凹溝、５３…係合段部、６…蓋体、６０…雌ネジ、６１…天板部、６２…装入筒、６２０…開放口、７…栓蓋、７０…切起片、７１…栓部、７２…切込み、７３…封栓部、８…規制部材、８０…引き出し片。
【図１】
2006213337.tif 000003
【図２】
2006213337.tif 000004
【図３】
2006213337.tif 000005
【図４】
2006213337.tif 000006
【図５】
2006213337.tif 000007
【図６】
2006213337.tif 000008
【図７】
2006213337.tif 000009
【図８】
2006213337.tif 000010
【図９】
2006213337.tif 000011
【図１０】
2006213337.tif 000012
【図１１】
2006213337.tif 000013
【図１２】
2006213337.tif 000014
【図１３】
2006213337.tif 000015
【図１４】
2006213337.tif 000016
【図１５】
2006213337.tif 000017
【図１６】
2006213337.tif 000018
【図１７】
2006213337.tif 000019